(57)【要約】  洋上風力タービンのトランジションピース（２）のような海上構造体の要素を揚重するための揚重ツール（１）は、フレーム（８）と、揚重すべき要素（２）と係合するための複数の係合部材（６）とを備えている。係合部材（６）は、フレーム（８）の中心線を中心として互いから所定の角距離で離隔してフレーム（８）に取り付けられている。揚重ツール（１）は、クレーンの昇降ケーブルに接続するための昇降部材（９）であって、係合部材（６）が位置する仮想円柱の内部に配置されている昇降部材（９）を備えている。昇降部材（９）とフレーム（８）とが、係合部材（６）から独立して、中心線に関する複数のラジアル方向において昇降部材（９）がフレーム（８）に対して移動可能とされるように配置されている少なくとも３つのリニアアクチュエータ（１０）を介して、相互接続されている。
2021521071.tif 000002
【特許請求の範囲】
【請求項１】
洋上風力タービンのトランジションピース（２）のような海上構造体の要素を揚重するための揚重ツール（１）であって、フレーム（８）と、揚重すべき要素（２）と係合するための複数の係合部材（６）であって、前記フレーム（８）の中心線を中心として互いから所定の角距離で離隔して前記フレーム（８）に取り付けられている前記係合部材（６）と、クレーンの昇降ケーブルに接続するための昇降部材（９）であって、前記係合部材（６）が位置する仮想円柱の内部に配置されている前記昇降部材（９）と、を備えている前記揚重ツール（１）において、
前記昇降部材（９）と前記フレーム（８）とが、前記係合部材（６）から独立して、前記中心線に関する複数のラジアル方向において前記昇降部材（９）が前記フレーム（８）に対して移動可能とされるように配置されている少なくとも３つのリニアアクチュエータ（１０）を介して、相互接続されていることを特徴とする揚重ツール（１）。
【請求項２】
前記リニアアクチュエータ（１０）が、前記係合部材（６）で前記フレーム（８）に結合されていることを特徴とする請求項１に記載の揚重ツール（１）。
【請求項３】
前記昇降部材（９）が、前記揚重ツール（１）が動作状態にある際に、前記フレーム（８）の上方に配置されていることを特徴とする請求項１又は２に記載の揚重ツール（１）。
【請求項４】
前記昇降部材（９）と前記フレーム（８）とが、前記昇降部材（９）が前記中心線に配置されている場合に前記昇降部材（９）を中心として等距離で位置決めされている３つの前記リニアアクチュエータ（１０）を介して、相互接続されていることを特徴とする請求項１〜３のいずれか一項に記載の揚重ツール（１）。
【請求項５】
前記リニアアクチュエータ（１０）それぞれが、第１のピボット（１１）を介して、前記昇降部材（９）に回動可能に取り付けられており、且つ、第２のピボット（１２）を介して、前記フレーム（８）に回動可能に取り付けられていることを特徴とする請求項４に記載の揚重ツール（１）。
【請求項６】
前記リニアアクチュエータ（１０）それぞれが、前記中心線に対して略垂直に延在しており、
前記第１のピボット（１１）と前記第２のピボット（１２）とがそれぞれ、前記中心線に対して略平行に延在している回動軸線を有していることを特徴とする請求項５に記載の揚重ツール（１）。
【請求項７】
前記リニアアクチュエータが、三脚を形成していることを特徴とする請求項４又は５に記載の揚重ツール（１）。
【請求項８】
前記リニアアクチュエータが、液圧式シリンダ（１０）を備えていることを特徴とする請求項１〜７のいずれか一項に記載の揚重ツール（１）。
【請求項９】
前記係合部材（６）が、上方に方向づけられている支持面（１６）を含む支持要素を備えており、前記支持面（１６）が、揚重すべき前記要素（２）の協働する揚重プレート（７）と係合するように構成されており、
前記フレーム（８）が、前記支持要素を前記揚重プレート（７）の下方の位置に移動させるように、揚重すべき前記要素（２）に対して前記揚重ツール（１）を回転させるための駆動装置（１３）を備えていることを特徴とする請求項１〜８のいずれか一項に記載の揚重ツール（１）。
【請求項１０】
前記駆動装置が、駆動可能な駆動ホイール（１３）によって形成されており、
前記駆動ホイール（１３）が、前記中心線に関するラジアル方向において移動可能とされることを特徴とする請求項９に記載の揚重ツール（１）。
【請求項１１】
前記支持要素が、前記フレーム（８）の前記中心線に方向づけられていることを特徴とする請求項９又は１０に記載の揚重ツール（１）。
【請求項１２】
前記揚重ツール（１）が、位置合わせ装置を備えており、
前記位置合わせ装置が、
カメラ（２１）の視線（２２）が前記フレーム（８）の前記中心線と同一の方向に延在するように位置決めされている前記カメラ（２１）と、
前記カメラから信号を受信及び処理するための制御装置であって、前記トランジションピース（２）が前記揚重ツール（１）によってモノパイルに取り付けられ、且つ、前記トランジションピース（２）が前記モノパイルに接近する場合に、前記制御装置が、前記カメラからの信号に基づいて、前記モノパイルの長さに沿った前記モノパイルの少なくとも２つの円周画像（２６，２７）を、例えば前記モノパイルの上縁及び下縁を決定するように、且つ、前記カメラ（２１）の前記視線（２２）に沿って異なる配置に固定位置を有している仮想円周画像（２４，２５）それぞれを生成するように、且つ、前記仮想円周画像（２４，２５）及び前記円周画像（２６，２７）を作業員にユーザインターフェースを介して示すように構成されている前記制御装置と、
を備えていることを特徴とする請求項１〜１１のいずれか一項に記載の揚重ツール（１）。
【請求項１３】
揚重すべき前記要素（２）が、管状要素（３）を閉じるための取り外し可能な保護蓋（５）を備えている管状要素（３）とされることを特徴とする請求項１〜１２のいずれか一項に記載の揚重ツール（１）。
【発明の詳細な説明】
【技術分野】
【０００１】
本発明は、例えば洋上風力タービンのトランジションピースのような海洋構造体の要素を揚重するための揚重ツールに関する。
【背景技術】
【０００２】
大部分の洋上風力タービンは、トランジションピースが載置されるモノパイル基礎を利用する。タービンと当該タービンの塔とは、トランジションピースの上に取り付けられている。トランジションピースは、揚重ツールをクレーンの昇降ケーブル及びトランジションピースに接続することによって揚重される。揚重ツールをトランジションピースの重心に位置合わせすることが重要である。さもなければ、トランジションピースは、クレーンの昇降ケーブル及び／又はトランジションピースから傾いた状態で懸架される。同一の効果が、他の揚重すべき要素に生じる場合がある。
【発明の概要】
【発明が解決しようとする課題】
【０００３】
本発明の目的は、揚重すべき要素の重心と迅速且つ正確に位置合わせすることができる揚重ツールを提供することである。
【課題を解決するための手段】
【０００４】
当該目的を達成させるために、本発明は、フレームと、揚重すべき要素と係合するための複数の係合部材であって、揚重すべき要素が、係合部材がフレームの中心線を中心として互いから所定の角距離でフレームに取り付けられている、複数の係合部材と、クレーンの昇降ケーブルに接続するための昇降部材であって、係合部材が載置されている仮想円柱の内部に配置されている昇降部材と、を備えている揚重ツールであって、昇降部材とフレームとが、少なくとも３つのリニアアクチュエータを通じて堅固に相互接続されており、リニアアクチュエータが、係合部材から独立して、昇降部材が中心線に関する複数のラジアル方向においてフレームに対して移動可能とされるように配置されている、揚重ツールを提供する。
【０００５】
本発明の利点は、昇降部材の位置が様々なラジアル方向においてフレームに対して調整可能とされることである。本発明は、リニアアクチュエータを動作させることによって自動位置合わせを制御する機会を提供する。このことは、迅速に機能し安全でもある。作業員が、揚重ツールを位置合わせする際に当該揚重ツールから避難することができるからである。揚重ツールは、水平方向及び垂直方向において自動的に位置合わせ及び位置決めを実行するために、加速度／動作、位置、重力、振動、圧力等を計測するためのセンサを備えている。昇降部材の相対位置は、揚重すべき要素の計算又は計測された重心に基づいて、昇降作業を開始する前に調整される。
【０００６】
堅固な相互接続によって、フレームと昇降部材との間における押付力を案内することができる。例えばケーブル接続は、当該堅固な相互接続とは異なり、押付力を案内することができない。動作状態において、フレームの中心線は、上方にすなわち略垂直に方向づけられており、係合部材は、水平方向に向いている平面に位置している。フレームの中心線は、仮想円柱の中心線と一致している。
【０００７】
好ましくは、アクチュエータは、係合部材と昇降力が作用するフレームの位置との間の距離を最小にするように、係合部材でフレームに結合されている。
【０００８】
昇降部材は、揚重ツールの動作状態においてフレームの上方に配置されている。
【０００９】
特定の実施例では、昇降部材とフレームとが、昇降部材が中心線に配置された場合に昇降部材を中心として等角距離で位置決めされている３つのリニアアクチュエータを介して相互接続されている。このような配置によって、中心線に関するすべてのラジアル方向に昇降部材を移動させるための機会を得るので、揚重すべき要素に対する所定の回転位置に揚重ツールを位置決めする必要が無くなる。
【００１０】
リニアアクチュエータそれぞれが、第１のピボットを介して昇降部材に回動可能に取り付けられており、且つ、第２のピボットを介してフレームに回動可能に取り付けられている。
【００１１】
特定の実施例では、リニアアクチュエータが、中心に対して略垂直に延在しており、第１のピボットと第２のピボットとが、中心線に対して略平行に延在している回動軸線それぞれを有している。これにより、構造が単純化されるが、堅牢になる。
【００１２】
代替的には、リニアアクチュエータは三脚を形成している。同様に、六脚構造体であっても良い。
【００１３】
実際には、リニアアクチュエータは液圧式シリンダとされる。
【００１４】
係合部材はそれぞれ、上方に方向づけられている支持面を含む支持要素を備えており、支持面は、揚重すべき要素の協働する揚重プレートと係合するように構成されており、フレームは、支持要素を揚重プレートの下方の位置に移動させるように、揚重すべき要素に対して揚重ツールを回転させるための駆動装置を備えている。この場合には、揚重ツールの支持要素と揚重すべき要素の揚重プレートとが、バヨネット結合を形成している。
【００１５】
駆動装置は、駆動可能な駆動ホイールによって形成されており、駆動ホイールが、揚重すべき要素が管状部分を備えている場合に駆動ホイールと揚重すべき要素の管とを係合及び係合解除するために、中心線に関するラジアル方向において移動可能とされる。
【００１６】
支持要素が、支持要素が揚重すべき要素の外方に方向づけられている揚重プレートと係合するように、フレームの中心線に方向づけられている。このような外方に方向づけられている揚重プレートは、例えば揚重すべき要素が洋上風力タービンのトランジションピースである場合に優位である。トランジションピースの上側には、トランジションピースのデバイスを一時的に保護するための保護蓋が設けられているからである。外方に方向づけられている揚重プレートが利用される場合には、保護蓋は、昇降作業の際にトランジションピースの上に載置された状態を維持する。
【００１７】
揚重ツールが、位置合わせ装置を備えており、位置合わせ装置が、カメラの視線がフレームの中心線と同一の方向に延在するように位置決めされているカメラと、カメラから信号を受信及び処理するための制御装置であって、トランジションピースが揚重ツールによってモノパイルに取り付けられ、且つ、トランジションピースがモノパイルに接近する場合に、制御装置が、カメラからの信号に基づいて、モノパイルの長さに沿った少なくとも２つの円周画像を、例えばモノパイルの上縁及び下縁を決定するように、且つ、カメラの視線に沿って異なる配置に固定位置を有している仮想円周画像それぞれを生成し、仮想円周画像及び円周画像を作業員にユーザインターフェースを介して示すように構成されている制御装置と、を備えている。作業員は、モノパイルを直接視認することができないクレーン操作者である場合がある。クレーン操作者は、トランジションピースとモノパイルとを位置合わせするために、モノパイルの円周画像と仮想円周画像とが互いに対して移動されるように、トランジションピースを含む揚重ツールを移動させることができる。
【００１８】
本発明について、本発明の実施例を例示的に表わす概略的な図面を参照しつつ、以下に説明する。
【図面の簡単な説明】
【００１９】
【図１】本発明における揚重ツールの一の実施例の斜視図である。
【図２】図１に表わす実施例を拡大した斜視図である。
【図３】図１に表わす実施例の上面図である。
【図４】揚重ツールの異なる状態を示す、図３に類似する図である。
【図５】揚重ツールの異なる状態を示す、図３に類似する図である。
【図６】図２に表わす実施例の断面を表わす斜視図である。
【図７】図１に表わす揚重ツールの一部分を拡大した側面図である。
【図８】揚重ツールの異なる状態を示す、図７に類似する図である。
【図９】揚重ツールの代替的な実施例の線図である。
【図１０】揚重ツールの異なる状態を示す、図９に類似する図である。
【図１１】位置合わせ装置の機能を説明するための図である。
【図１２】位置合わせ装置のユーザインターフェースを表わす。
【発明を実施するための形態】
【００２０】
図１は、本発明における揚重ツール１の一の実施例を表わす。揚重ツール１は、例えば風力タービンのトランジションピース２のような海上構造体の要素を揚重するのに、すなわちフランジを含む他の桿体状部材を揚重するのに適している。トランジションピース２は、例えば海底に固定されているモノパイルに取付可能とされる管状要素３を備えている。トランジションピース２は、管状要素３に固定されている作業足場４を備えている。管状要素３は、管状要素３のデバイス（図示しない）を一時的に保護するための保護蓋５によって覆われている上側端部を有している。このようなデバイスは、風力タービンの動作時における利用を意図しており、当該デバイスが洋上に実際に設置される前に、既にトランジションピース２の内側に載置されている。より一般的には、揚重すべき要素は、管状要素を閉じるための取り外し可能な保護蓋を備えている当該管状要素である。
【００２１】
トランジションピース２を意図した位置に据え付けた後に、保護蓋５を取り外し、風力タービンの台をトランジションピース２に取り付けることができる。揚重ツール１は、管状要素３の上側端部に固定されている揚重プレート７に係合可能とされる、３つの係合部材６を備えている。係合部材６と揚重プレート７とは、この場合にはバヨネット結合を介して、互いに結合されている。揚重プレート７は、トランジションピース２から外向きの方向に突出している。このことは、保護蓋５が昇降作業の際にトランジションピース２に載置可能であることを意味する。
【００２２】
図２は、揚重ツール１の詳細図である。揚重ツール１は、係合部材６が取り付けられているフレーム８を備えている。フレーム８は、動作時に水平に方向づけられている主平面に載置されている。係合部材６は、仮想円柱の上に配置されており、仮想円柱は、フレーム８の水平に方向づけられている主平面に対して垂直とされる中心線を有している。また、揚重ツール１は、昇降部材９の昇降穴を介してクレーン（図示しない）の昇降ケーブルに接続可能とされる昇降部材９を備えている。図示の実施例では、揚重ツール１の動作時に、昇降部材９はフレーム８の上方に配置されている。
【００２３】
図２に表わす実施例では、昇降部材９とフレーム８とが、液圧式シリンダ１０の形態をした３つのリニアアクチュエータを通じて、相互接続されており、液圧式シリンダ１０は、フレーム８の主平面に対して垂直に延在している回動軸線それぞれを含む第１のピボット１１それぞれを介して、昇降部材９に回動可能に取り付けられている。液圧式シリンダ１０は、仮想円柱の中心線に対して垂直に延在しており、昇降部材９とフレーム８との間に堅固な接続を形成している。第１のピボット１１は、昇降部材９を中心として等角距離で配置されている。昇降部材９が仮想円柱の中心線に配置されている場合には、液圧式シリンダ１０が、昇降部材９を中心とする等間隔距離で昇降部材９からラジアル方向に延在している。このような状態は、図３の上面図に表わされている。
【００２４】
また、液圧式シリンダ１０は、第１のピボット１１の回動軸線に対して平行に延在している回動軸線それぞれを含む第２のピボット１２それぞれを介して、フレーム８に回動可能に取り付けられている。図２に表わす実施例では、第２のピボット１２は係合部材６に配置されている。昇降部材９及びフレーム８に対する液圧式シリンダ１０の配置に起因して、昇降部材９は、係合部材６から独立して、仮想円柱の中心線のあらゆるラジアル方向においてフレーム８に対して移動可能とされる。これにより、昇降部材９を揚重する前に、昇降部材９をトランジションピース２の重心の上方の位置に容易に移動させることができる。
【００２５】
揚重ツール１は、駆動ホイール１３を備えており、駆動ホイール１３は、係合部材６でフレーム８に回動可能に取り付けられているアーム１４に取り付けられている。アーム１４は、駆動ホイール１３がトランジションピース２の管状要素３に行き来することができるように、液圧式シリンダ１５によって駆動される。管状要素３に接触した後に駆動ホイール１３を駆動する場合には、揚重ツール１が管状要素３に対して回転される。図４は、このような状態を表わしており、図３に表わす状態に対してフレーム８が時計回りに回転されていることを示す。このような移動の際に、係合部材６の上方に方向づけられている支持面１６それぞれが揚重プレート７の下方に位置決めされ、バヨネット式結合を形成している。図６は、このような状態を表わす。
【００２６】
図７及び図８は、係合部材６の動作の詳細を表わす。係合部材６それぞれが、アーム１７を備えており、アーム１７は、水平に方向づけられている回動軸線を有している第３のピボット１８を介してフレーム８に回動可能に取り付けられている一方、水平に方向づけられている回動軸線を有している第４のピボット２０を介して第２のピボット１２の垂直シャフト１９に回動可能に取り付けられている。第４のピボット２０の回動軸線は、第３のピボット１８の回動軸線と比較して昇降部材９の近傍に配置されている。アーム１７それぞれが、ロック要素２８を備えている。昇降部材９をフレーム８に対して下方に移動させる際に、係合部材６は、ロック要素２８を上方に変位させることに起因して揚重プレート７を受容するための開口部を備えている。図７は、このような状態を表わす。例えば図８に表わすように、昇降部材９がフレーム８に対して上方に移動される場合には、アーム１７は、揚重プレート７が支持面１６と上方に移動しているロック要素２８との間に固定されるように傾斜する。その結果として、揚重プレート７は昇降の間に湾曲せず、昇降の際に固定された揚重サポートが実現される。アーム１７それぞれが、ロック要素２８の側面が係合部材６の対向する壁と当接することによって、アーム１７が対応する第３のピボット１８を介して制限された角度でのみ回転可能とされるように適合されていることに留意すべきである。
【００２７】
図５は、液圧式シリンダ１０を動作させることによって昇降部材９が仮想円柱の中心線から離隔するようにフレーム８に対して移動される状態を表わす。昇降部材９の相対位置は、昇降作業を開始する前に、トランジションピース２の計算又は計測された重心に基づいて調整される。代替的には、昇降部材９の相対位置は、昇降作業の際に、揚重ツール１及び／又はトランジションピース２に関するセンサからの上方に基づいて調整される。
【００２８】
代替的な実施例では、液圧式シリンダは、三脚を形成している。図９及び図１０は、３つの液圧式シリンダ１０のうち２つの液圧式シリンダが視認可能とされる三脚構成の液圧式回路を表わす。図９は、昇降部材９がフレーム８の中心線に配置されているが、トランジションピース２の重心ＣＯＧが当該中心線上に位置していない状態を表わす。図１０は、昇降部材９が重心ＣＯＧと位置合わせされるように液圧式シリンダ１０が動作される状態を表わす。
【００２９】
当該実施例では、液圧式シリンダ１０は、パスカルの原理（principle of communicating volumes）を利用することによって液圧式シリンダ１０の内部の油圧を分布させるために、互いに接続されている。３つの液圧式シリンダ１０すべてが同一であり、フェイルセーフのためにブレーキ及び二重シールを装備している。さらに、液圧式シリンダ１０それぞれが、揚重ツール１をソフトランディング可能とするために圧力を開放するためのシステムを有している。（液体（volume）を連通させるための）液圧式シリンダ１０同士の間の液圧管路は、トランジションピース２を揚重するために必要な油を要求された向き（角度）に従って当該システムを通じて流すことを可能又は不可能とするための弁を含んでいる。
【００３０】
動作状態において、トランジションピース２を楊重する際にトランジションピース２が揺動し始めないように、揚重ツール１が懸架されているクレーンフックが、垂直方向において重心ＣＯＧと位置合わせされることが必要であることに留意すべきである。
【００３１】
トランジションピース２をモノパイルに安全且つ正確に取り付けるために、揚重ツール１は、カメラ２１と制御装置（図示しない）とを含んでいる位置合わせ装置を備えている。図１１は、位置合わせ装置の機能を示す。カメラ２１は、揚重ツール１のフレーム８に配置されている。カメラ２１は、カメラ２１の視線２２（view line）がフレーム８の中心線と同一方向に延在するように位置決めされている。図１１のみが、揚重ツール１、トランジションピース２、及びモノパイルを省略した状態で、カメラ２１及び制御装置の機能を概略的に示す。しかしながら、図１１に表わす管２３はモノパイルを想定している。図１１は、前方仮想円周画像２４と後方仮想円周画像２５とがカメラ２１の視線２２に沿って位置していることを表わす。前方仮想円周画像２４と後方仮想円周画像２５との両方が、視線２２に沿って異なる位置を有しており、制御装置によって生成される。トランジションピース２を揚重ツール１によってモノパイルに取り付けようとし、当該モノパイルに接近させる場合には、カメラ２１は、モノパイルの前方円周画像２６及び後方円周画像２７をも検出する。実際に、前方円周画像２６及び後方円周画像２７は、モノパイルの上縁及び下縁に対応しているが、管２３に沿った他の位置であっても良い。制御装置は、検出及び生成された画像２４〜２７を例えば携帯電話のようなユーザーインターフェース（図示しない）を介してクレーンの運転手に提示する。図１２は、クレーンの運転手が見ることができる画像の一例を表わす。これら画像に基づいて、前方仮想円周画像２４及び前方円周画像２６と後方仮想円周画像２５及び後方円周画像２７とがそれぞれ同心円を形成するように、すなわちトランジションピース２とモノパイルとが位置合わせされるように、クレーンの運転手は、トランジションピース２の位置及び向きを調整することができる。この場合には、モノパイルすなわち管２３が円状の断面を有しており、ひいては同心円になっていることに留意すべきであるが、他の形状であっても良い。
【００３２】
制御装置は、画像を同心で配置させるためにクレーンの運転手が要求する必要な移動を計算するためのソフトウェアを備えている。クレーンの運転手は、安全な方法で工程を遂行するためにモノパイルにおいて人による補助を必要とせず、トランジションピース２とモノパイルとを位置合わせすることができる。
【００３３】
また、より一般的には、本発明は、例えば揚重ツールのような部材を例えばモノパイルのような桿体状要素に対して位置合わせするための方法であって、カメラが、位置合わせすべき部材に取り付けられており、カメラの視界が、位置合わせの後に桿体状部材の中心線と略一致している視線に沿って延在するように、カメラが、位置決めされており、カメラを含む部材が、カメラによって桿体状要素が視認可能とされる当該桿体状要素の端部又はその近傍に配置されており、これにより、カメラが、長手方向において異なる位置に配置された桿体状要素の少なくとも２つの円周画像、例えば桿体状要素の上縁及び下縁を検出し、カメラの視線に沿って異なる位置における少なくとも２つの仮想円周画像が生成され、位置合わせすべき部材と桿体状要素とが、仮想円周画像の中心が桿体状要素の円周画像の中心と略一致するように、互いに対して変位及び方向づけられる、方法に関する。また、本発明は、当該方法を適用する位置合わせ装置に関する。
【００３４】
本発明は、図面及び発明の詳細な説明に示す実施例に限定される訳ではなく、特許請求の範囲及びその均等の範囲内であれば、様々な態様に変化させることができる。
【符号の説明】
【００３５】
１  揚重ツール
２  トランジションピース
３  管状要素
４  作業足場
５  保護蓋
６  係合部材
７  揚重プレート
８  フレーム
９  昇降部材
１０  液圧式シリンダ
１１  第１のピボット
１２  第２のピボット
１３  駆動ホイール
１４  アーム
１５  液圧式シリンダ
１７  アーム
１８  第３のピボット
１９  （第２のピボット１２の）垂直シャフト
２０  第４のピボット
２１  カメラ
２２  （カメラ２１の）視線
２３  管
２４  前方仮想円周画像
２５  後方仮想円周画像
２６  （モノパイルの）前方円周画像
２７  （モノパイルの）後方円周画像
２８  ロック要素
【図１】
2021521071.tif 000003
【図２】
2021521071.tif 000004
【図３】
2021521071.tif 000005
【図４】
2021521071.tif 000006
【図５】
2021521071.tif 000007
【図６】
2021521071.tif 000008
【図７】
2021521071.tif 000009
【図８】
2021521071.tif 000010
【図９】
2021521071.tif 000011
【図１０】
2021521071.tif 000012
【図１１】
2021521071.tif 000013
【図１２】
2021521071.tif 000014
【国際調査報告】
2021521071.tif 000015
2021521071.tif 000016
2021521071.tif 000017